(57)【要約】【課題】使用者が意図しない害虫駆除運転の実行を防止して、使用者に異常との誤解を与えないようにする。【解決手段】操作パネル１５に、左右のブロックに対応して２つの温度調節部１０ａ，１０ｂが設けられる。温度調節部１０ａ，１０ｂは、スライド可能なつまみ１６を有し、移動位置に応じた温度が設定される。各温度調節部１０ａ，１０ｂに、害虫駆除運転用の駆除位置（ダニアウト位置）Ｄが形成される。つまみ１６がともに駆除位置Ｄにあるとき、害虫駆除運転が実行される。一方のつまみ１５が駆除位置Ｄにないとき、害虫駆除運転は行われず、通常の運転が行われる。【選択図】図４
2009002565.tif 000002
【特許請求の範囲】
【請求項１】
採暖面が発熱体を有する複数のブロックに分割され、ブロック毎に、温度を設定するための温度調節部がそれぞれ設けられ、設定された温度に基づいて各発熱体の通電を制御するとともに、所定温度にして害虫を駆除する害虫駆除運転を実行する制御部が設けられ、各温度調節部に、害虫駆除運転用の駆除スイッチがそれぞれ設けられ、制御部は、全ての駆除スイッチのオンにより害虫駆除運転を実行することを特徴とする面状採暖具。
【請求項２】
制御部は、少なくとも１つの駆除スイッチがオフのとき、害虫駆除運転を実行せず、通常の運転を行うことを特徴とする請求項１記載の面状採暖具。
【発明の詳細な説明】
【技術分野】
【０００１】
本発明は、暖房面積を可変できる電気カーペット等の面状採暖具に関し、特にダニ等の害虫を駆除するための機能を備えた面状採暖具に関する。
【背景技術】
【０００２】
採暖面が２つのブロックに分割された電気カーペットでは、各ブロックに発熱体が設けられ、各発熱体は個別に温度制御される。そして、ダニ等の害虫を駆除するための害虫駆除運転の機能を備えている。害虫駆除運転では、採暖面の温度が５０℃以上の高温になるように各発熱体の通電が制御され、所定時間、例えば２時間だけ運転が行われる。
【０００３】
特許文献１に記載されているように、通常の運転では、ブロック毎に発熱体は温度制御されるが、害虫駆除運転では、同じ設定温度で各ブロックの発熱体が同時に制御される。このような害虫駆除運転を行う面状採暖具は、図５に示すような操作パネル１００を備えている。
【０００４】
操作パネル１００には、左右のブロック毎に温度調節部１０１ａ，１０１ｂが設けられている。温度調節部１０１ａ，１０１ｂは、スライド可能なつまみ１０２を有し、つまみ位置に応じて温度が設定される。停止位置Ｓでは、発熱体での通電がオフされ、運転は停止している。弱位置Ａ、中位置Ｂ、強位置Ｃとつまみ１０２を移動していくにつれて、発熱体への通電量が増し、採暖面の温度が高くなる。
【０００５】
そして、害虫駆除運転用として、一方の温度調節部１０１ｂに駆除位置（ダニアウト位置）Ｄが形成される。駆除位置Ｄは、強位置Ｃよりも外側に位置する。つまみ１０２を強位置Ｃから駆除位置Ｄにスライドさせる場合、強めのクリック感が得られるようになっている。これによって、つまみ１０２が簡単に駆除位置Ｄまでスライドしない。なお、図中、１０３は電源スイッチであり、つまみにより電源のオンオフが切り替えられる。
【特許文献１】特開２００６−３８３８９号公報
【発明の開示】
【発明が解決しようとする課題】
【０００６】
害虫駆除運転は、通常の運転よりもはるかに使用頻度が少ない。そのため、上記の温度調節部では、つまみが簡単に駆除位置まで移動しないようになっている。これにもかかわらず、使用者がつまみを強位置のつもりで誤って駆除位置まで移動させてしまう場合がある。
【０００７】
この場合、使用者は、採暖面の片側を強運転しているつもりであるが、実際には採暖面全体が強運転される。しかも、害虫駆除運転は、通常の運転よりも短いタイマ設定とされている。通常の運転では、６時間後に自動的に電源オフとなるようにタイマ設定される。このように、使用者が意図した運転とは異なる運転が行われるため、異常が発生したと誤解を招くおそれがある。
【０００８】
本発明は、上記に鑑み、意図しない害虫駆除運転の実行を防止して、使用者に異常との誤解を与えない面状採暖具の提供を目的とする。
【課題を解決するための手段】
【０００９】
本発明は、採暖面が発熱体を有する複数のブロックに分割され、ブロック毎に、温度を設定するための温度調節部がそれぞれ設けられ、設定された温度に基づいて各発熱体の通電を制御するとともに、所定温度にして害虫を駆除する害虫駆除運転を実行する制御部が設けられ、各温度調節部に、害虫駆除運転用の駆除スイッチがそれぞれ設けられ、制御部は、全ての駆除スイッチのオンにより害虫駆除運転を実行するものである。そして、制御部は、少なくとも１つの駆除スイッチがオフのとき、害虫駆除運転を実行せず、通常の運転を行う。
【００１０】
制御部は、複数の駆除スイッチのオンオフに基づいて害虫駆除運転の実行の要否を判断する。複数の駆除スイッチのうち、１つでも駆除スイッチがオフであれば、害虫駆除運転の実行が禁止され、通常の運転が行われる。複数の駆除スイッチ全てがオンのときに、害虫駆除運転が行われる。したがって、誤って一部の駆除スイッチがオンされても、他の駆除スイッチはオフであるので、害虫駆除運転は行われない。
【発明の効果】
【００１１】
本発明によると、使用者が害虫駆除運転を意図していないにもかかわらず、誤った操作により、一部の駆除スイッチをオンした場合であっても、害虫駆除運転が実行されるのを防ぐことができる。これによって、意図しない運転により異常発生との誤解を使用者に与えることを防止できるとともに、誤操作による意図しない運転が行われることも防止できる。
【発明を実施するための最良の形態】
【００１２】
本実施形態の面状採暖具である電気カーペットを図１に示す。電気カーペットは、表生地と裏生地との間に発熱体１ａ，１ｂが挟み込まれたカーペット２の角部にコントローラ３が装着されて構成される。折り畳み可能なカーペット２は、左右２つのブロック４ａ，４ｂに分割され、各ブロック４ａ，４ｂに発熱体１ａ，１ｂが配設される。各発熱体１ａ，１ｂは、コントローラ３に並列に接続され、コントローラ３によって個別に駆動制御される。
【００１３】
発熱体１ａ，１ｂは、巻芯の周面に発熱線５が巻き付けられ、発熱線５の外周側に、電気絶縁性の被覆層６を介して感熱線７が巻き付けられた構造とされる。各感熱線７もコントローラ３に接続されている。
【００１４】
コントローラ３は、図２、３に示すように、ブロック４ａ，４ｂ毎の温度を設定する温度調節部１０ａ，１０ｂと、各発熱体１ａ，１ｂの温度を検出する温度検出部１１ａ，１１ｂと、各発熱体１ａ，１ｂへの通電を制御する駆動部１２ａ，１２ｂと、設定された温度に基づいて各発熱体１ａ，１ｂの駆動部１２ａ，１２ｂを制御する制御部１３と、電源スイッチ１４とを備えている。制御部１３は、ダニ等の害虫を駆除するための害虫駆除運転を実行する機能を有している。
【００１５】
温度調節部１０ａ，１０ｂは、図４に示すように、コントローラ３の操作パネル１５に左右方向に並べて形成される。温度調節部１０ａ，１０ｂは、それぞれスライド可能なつまみ１６を有し、つまみ１６の移動により停止位置Ｓから弱位置Ａ、中位置Ｂを経て強位置Ｃまで複数の段階で温度の設定を切り替えることができる。操作パネル１５には、つまみ１６の移動位置に合わせて停止、弱、中、強のマークが印されている。
【００１６】
温度調節部１０ａ，１０ｂは、つまみ１６に連動した可変抵抗器２０を有している。各可変抵抗器２０は制御部１３にそれぞれ接続され、つまみ１６の移動位置に応じた設定信号が制御部１３に入力される。
【００１７】
温度検出部１１ａ，１１ｂは、感熱線７が半固定抵抗器２１を介して制御部１３に接続されることにより構成される。感熱線７は、熱により抵抗値が変化する特性を有する。すなわち、発熱体１ａ，１ｂの温度が上昇すると、感熱線７の抵抗値が上昇する。発熱体１ａ，１ｂの温度によって感熱線７からの電圧信号が変化し、この電圧信号が制御部１３に入力される。なお、半固定抵抗器２１は、温度検出の感度調節用である。
【００１８】
駆動部１２ａ，１２ｂは、リレー２２を有し、発熱体１ａ，１ｂへの通電をオンオフする。リレー２２は制御部１３によって駆動され、リレー２２のオンにより発熱線５に通電される。
【００１９】
制御部１３は、マイコン、電源回路、駆動回路等を有し、設定温度と温度検出部１１ａ，１１ｂにより検出された温度とに基づいて、リレー２２のオンオフを制御する。すなわち、温度調節部１０ａ，１０ｂのつまみ１６の移動位置に応じて設定された温度にしたがって、弱運転、中運転、強運転といった通常の運転を行い、設定温度になるようにリレー２２のオンオフを行う。左右のブロック４ａ，４ｂに対して、制御部１３は個別に運転を制御する。なお、制御部１３は、通常の運転では、所定時間、例えば６時間経過したら、自動的に運転を停止する。
【００２０】
電源スイッチ１４は、スライド可能なつまみを有し、つまみの移動位置に応じて接点を開閉する。なお、図３中、２４はヒューズである。
【００２１】
そして、各温度調節部１０ａ，１０ｂは、害虫駆除運転用の駆除スイッチ２５ａ，２５ｂを備えている。強位置よりも外側に駆除位置（ダニアウト位置）Ｄが形成され、駆除スイッチ２５ａ，２５ｂは、つまみ１６が駆除位置Ｄまで移動したとき、オン信号を出力する。すなわち、可変抵抗器２０から駆除位置Ｄに応じたオン信号が制御部１３に入力される。つまみ１６が強位置Ｃを越えて駆除位置Ｄにスライドするとき、強めのクリック感が得られるようになっている。
【００２２】
制御部１３は、２つの駆除スイッチ２５ａ，２５ｂがオンしたとき、害虫駆除運転を実行する。一方の駆除スイッチ２５ａだけがオンしたとき、害虫駆除運転を実行せず、通常の運転として強運転を行う。
【００２３】
操作パネル１５に、害虫駆除運転を表す表示窓２６が形成され、表示窓２６は、害虫駆除運転の実行中に点灯する。各温度調節部１０ａ，１０ｂの駆除位置Ｄは離れて存在しているが、両駆除位置Ｄと表示窓２６とを結ぶラインが形成されている。これによって、害虫駆除運転をするとき、各温度調節部１０ａ，１０ｂのつまみ１６をそれぞれ駆除位置Ｄにしなければならないことを使用者に促すことができる。
【００２４】
上記構成の電気カーペットにおいて、電源プラグをコンセントに差し込み、電源スイッチ１４をオンして、左右の温度調節部１０ａ，１０ｂによって各ブロック４ａ，４ｂの温度を設定する。設定された温度になるように各発熱体１ａ，１ｂへの通電が制御される。
【００２５】
次に、害虫駆除運転を行う場合、カーペット２を２つ折りあるいは４つ折りに畳んで、表面が重なるようにする。使用者は左右の温度調節部１０ａ，１０ｂのつまみ１６を駆除位置Ｄに移動する。このとき、表示窓２６が点灯する。使用者は、害虫駆除運転が実行されることを確認できる。
【００２６】
すると、駆除スイッチ２５ａ，２５ｂがオンして、制御部１３は、各ブロック４ａ，４ｂに対する設定温度を自動的に所定温度、すなわち強に設定する。そして、各発熱体１ａ，１ｂに通電が開始される。
【００２７】
各発熱体１ａ，１ｂは所定温度になるように制御され、カーペット２の表面はほぼ１００％ダニを死滅させることができる５０℃以上となる。所定時間、すなわち２時間経過すると、各発熱体１ａ，１ｂへの通電が停止され、害虫駆除運転が終了する。
【００２８】
ところで、一方の温度調節部１０ａ，１０ｂのつまみ１６が駆除位置Ｄにないとき、２つの駆除スイッチ２５ａ，２５ｂからのオン信号が入力されないので、制御部１３は害虫駆除運転を実行せず、通常の運転を行う。このとき、表示窓２６は点灯しない。他方の温度調節部のつまみは駆除位置にあるので、制御部は、他方のブロック４ａでは強運転を行う。一方の温度調節部１０ａ，１０ｂのつまみ１６は駆除位置Ｄにないが、制御部１３は、現在の移動位置に応じた設定温度で運転を行う。停止位置Ｓにある場合、発熱体１ａ，１ｂに通電しない。
【００２９】
使用者が一方のつまみ１６を誤って駆除位置Ｄにしたとき、他方のつまみ１６は駆除位置Ｄにないので、害虫駆除運転は実行されない。したがって、使用者が一方だけ強運転するつもりでつまみ１６を誤って駆除位置Ｄにしてしまっても、害虫駆除運転ではなく、強運転が実行されるので、使用者は違和感ない。そのため、使用者に異常が発生したとの誤解を与えることを防げる。
【００３０】
なお、本発明は、上記実施形態に限定されるものではなく、本発明の範囲内で上記実施形態に多くの修正および変更を加え得ることは勿論である。カーペットの分割は、３以上であってもよく、分割されたブロック数と同じだけ温度調節部および駆除スイッチを設ける。また、面状採暖具は、床暖房パネルとしてもよい。
【００３１】
駆除スイッチとして、ブロック毎に押しボタン等の異なる形態の駆除スイッチを設けてもよい。全ての駆除スイッチのオン信号が入力したときに、害虫駆除運転が実行される。
【図面の簡単な説明】
【００３２】
【図１】本発明の電気カーペットの平面図
【図２】コントローラのブロック図
【図３】電気カーペットの電気回路図
【図４】操作パネルを示す図
【図５】従来の操作パネルを示す図
【符号の説明】
【００３３】
１ａ，１ｂ    発熱体
３    コントローラ
４ａ，４ｂ    ブロック
１０ａ，１０ｂ    温度調節部
１１ａ，１１ｂ    温度検出部
１３    制御部
１５    操作パネル
１６    つまみ
２５ａ，２５ｂ    駆除スイッチ
【図１】
2009002565.tif 000003
【図２】
2009002565.tif 000004
【図３】
2009002565.tif 000005
【図４】
2009002565.tif 000006
【図５】
2009002565.tif 000007